(57)【要約】  冷水タンクを開示する。  本発明の一実施形態による冷水タンクは、タンク本体と、上記タンク本体の開放された上部を覆うように、上記タンク本体に連結される覆い部と、上記タンク本体に備えられ、上記タンク本体内部に保存された水を冷却し、冷水になるようにする冷却ユニットと、を含み、上記覆い部は、内部に空気層が形成されるように構成されて結露が発生することを最小限に抑えるか、又は防止することができる。
2021530665.tif 000002
【特許請求の範囲】
【請求項１】
タンク本体と、
前記タンク本体の開放された上部を覆うように、前記タンク本体に連結される覆い部と、
前記タンク本体に備えられ、前記タンク本体内部に保存された水を冷却し、冷水になるようにする冷却ユニットと、
を含み、
前記覆い部は、内部に空気層が形成されるように構成されて結露が発生することを最小限に抑えるか、又は防止する、冷水タンク。
【請求項２】
前記覆い部は、前記タンク本体の開放された上部を覆うように、前記タンク本体に連結されるメイン覆い部材を含む、請求項１に記載の冷水タンク。
【請求項３】
前記覆い部は、前記メイン覆い部材の下部及び上部のうち少なくとも一つに前記空気層が形成されるように構成される、請求項２に記載の冷水タンク。
【請求項４】
前記覆い部は、前記メイン覆い部材の下部に連結されて、第１空気層を形成する第１補助覆い部材をさらに含む、請求項３に記載の冷水タンク。
【請求項５】
前記第１空気層には断熱部材が備えられる、請求項４に記載の冷水タンク。
【請求項６】
前記覆い部は、前記メイン覆い部材の上部に連結され、第２空気層を形成する第２補助覆い部材をさらに含む、請求項４に記載の冷水タンク。
【請求項７】
前記覆い部が連結される部分以外の前記タンク本体の部分は、断熱部材が取り囲むように備えられて結露が発生することを最小限に抑えるか、又は防止する、請求項１に記載の冷水タンク。
【請求項８】
前記冷却ユニットは、前記タンク本体の内部に備えられ、冷媒が流動する蒸発管を含む、請求項１に記載の冷水タンク。
【発明の詳細な説明】
【技術分野】
【０００１】
本発明は、冷水が保存される冷水タンクに関するものである。
【背景技術】
【０００２】
冷水タンクは、浄水器などに備えられ、保存された水を冷却して冷水に製造してユーザーに供給するものである。
【０００３】
従来、浄水器などに備えられる冷水タンクは、常温の浄水が保存される浄水タンクの下側に一体に又は別に備えられていた。そのため、冷水タンクに保存された水が冷却されて冷水に製造されても、浄水タンクに保存された常温の浄水との温度差が大きくないため、冷水タンクに発生する結露の量は多くないか、又は結露が発生しなかった。
【０００４】
しかし、浄水器などに浄水タンクが備えられず、冷水タンクだけが単独で備えられる場合には冷水タンクに大量の結露が発生した。
【発明の概要】
【発明が解決しようとする課題】
【０００５】
本発明は、上記のような従来から発生している要求又は問題のうち少なくともいずれか一つを認識してなされたものである。
【０００６】
本発明の目的のうちの一つは、冷水タンクが単独で備えられても、結露が発生することを最小限に抑えるか、又は防止することができることである。
【０００７】
本発明の目的のうちの他の一つは、冷水タンクの覆い部に空気層が形成されて結露が発生することを最小限に抑えるか、又は防止することができることである。
【課題を解決するための手段】
【０００８】
上記課題のうち少なくとも一つの課題を実現するための一実施形態に関連し、冷水タンクは、以下のような特徴を含むことができる。
【０００９】
本発明の一実施形態による冷水タンクは、タンク本体と、上記タンク本体の開放された上部を覆うように、上記タンク本体に連結される覆い部と、上記タンク本体に備えられ、上記タンク本体内部に保存された水を冷却し、冷水になるようにする冷却ユニットと、を含み、上記覆い部は、内部に空気層が形成されるように構成されて結露が発生することを最小限に抑えるか、又は防止することができる。
【００１０】
この場合、上記覆い部は、上記タンク本体の開放された上部を覆うように、上記タンク本体に連結されるメイン覆い部材を含むことができる。
【００１１】
また、上記覆い部は、上記メイン覆い部材の下部及び上部のうち少なくとも一つに上記空気層が形成されるように構成されることができる。
【００１２】
そして、上記覆い部は、上記メイン覆い部材の下部に連結され、第１空気層を形成する第１補助覆い部材をさらに含むことができる。
【００１３】
また、上記第１空気層には断熱部材が備えられることができる。
【００１４】
そして、上記覆い部は、上記メイン覆い部材の上部に連結され、第２空気層を形成する第２補助覆い部材をさらに含むことができる。
【００１５】
また、上記覆い部が連結される部分以外の上記タンク本体の部分は、断熱部材が取り囲まれるように備えられて結露が発生することを最小限に抑えるか、又は防止することができる。
【００１６】
そして、上記冷却ユニットは、上記タンク本体の内部に備えられ、冷媒が流動する蒸発管を含むことができる。
【発明の効果】
【００１７】
以上のように、本発明の実施形態によると、冷水タンクの覆い部に空気層が形成されて結露が発生することを最小限に抑えるか、又は防止することができる。
【００１８】
また、本発明の実施形態によると、冷水タンクが単独で備えられても、結露が発生することを最小限に抑えるか、又は防止することができる。
【図面の簡単な説明】
【００１９】
【図１】本発明による冷水タンクの一実施形態の斜視図である。
【図２】本発明による冷水タンクの一実施形態の分解斜視図である。
【図３】図１のＩ−Ｉ’線に沿って切断した断面図である。
【図４】図３のＡ部分の拡大図である。
【図５】本発明による冷水タンクの一実施形態の使用状態を示す、図３のような断面図である。
【発明を実施するための形態】
【００２０】
以下、上記のような本発明の特徴に対する理解を助けるために、本発明の実施形態に関連する冷水タンクについてより詳細に説明する。
【００２１】
以下説明される実施形態は、本発明の技術的な特徴を理解させるのに最適な実施形態を基礎に説明されるものであり、説明される実施形態によって本発明の技術的な特徴が制限されるものではなく、以下説明される実施形態のように、本発明を実現することができることを例示するものである。したがって、本発明は、以下説明される実施形態を介して本発明の技術範囲内で様々な変形実施が可能であり、かかる変形実施形態は、本発明の技術範囲内に属すると言える。また、以下説明される実施形態の理解を助けるために、添付された図面に記載された符号に関連し、各実施形態において、同一の作用をするようになる構成要素のうち関連する構成要素は、同一又は延長線上の数字で表記した。
【００２２】
以下、図１〜図５を参照して、本発明による冷水タンク１００の一実施形態について説明する。
【００２３】
図１は本発明による冷水タンクの一実施形態の斜視図であり、図２は本発明による冷水タンクの一実施形態の分解斜視図であり、図３は図１のＩ−Ｉ’線に沿って切断した断面図であり、図４は図３のＡ部分の拡大図である。
【００２４】
また、図５は本発明による冷水タンクの一実施形態の使用状態を示す、図３のような断面図である。
【００２５】
本発明による冷水タンク１００の一実施形態は、タンク本体２００、覆い部３００、及び冷却ユニット４００を含むことができる。
【００２６】
タンク本体２００は、内部に所定の空間が形成され、上部が開放されることができる。タンク本体２００の内部空間には、図５に示すように、水が保存されることができる。
【００２７】
タンク本体２００には、水供給源（不図示）に連結されて、水供給源の水がタンク本体２００に流入するようにする流入口２１０が備えられる。これにより、水供給源の水が流入口２１０を介してタンク本体２００の内部に流入して保存されることができる。流入口２１０に連結される水供給源は、例えば、浄水フィルタ（不図示）を含むことで水を濾過する濾過部（不図示）であることができる。しかし、流入口２１０に連結される水供給源は、特に限定されず、流入口２１０に連結されてタンク本体２００に水が供給できるものであれば周知のいかなるものであっても可能である。
【００２８】
タンク本体２００の内部には、図３に示すように、冷却ユニット４００が備えられることができる。タンク本体２００には、冷却ユニット４００に含まれる後述する蒸発管４１０が通過する通過孔２３０が形成され、内部に冷却ユニット４００が備えられることができる。冷却ユニット４００により、タンク本体２００の内部に保存された水が、図５に示すように、冷却されて冷水になることができる。
【００２９】
タンク本体２００には排出口２２０が備えられることができる。これにより、タンク本体２００の冷水が排出口２２０を介して外部に排出されることができる。
【００３０】
タンク本体２００の構成は、特に限定されず、水供給源の水が内部に流入して保存され、冷却ユニット４００が備えられて内部に保存された水が冷却ユニット４００によって冷却されて冷水となり、冷水が外部に排出されるものであれば、周知のいかなる構成であっても可能である。
【００３１】
覆い部３００は、タンク本体２００の開放された上部を覆うようにタンク本体２００に連結されることができる。
【００３２】
覆い部３００は、内部に図３及び図４に示すように空気層ＡＬ１、ＡＬ２が形成されるように構成されることができる。覆い部３００の空気層ＡＬ１、ＡＬ２により、外部及びタンク本体２００の内部が断熱されることができる。したがって、外部とタンク本体２００の内部との温度差によって結露が発生することが最小限に抑えられたり、又は防止されることができる。
【００３３】
覆い部３００は、メイン覆い部材３１０を含むことができる。メイン覆い部材３１０は、タンク本体２００の開放された上部を覆うようにタンク本体２００に連結されることができる。例えば、タンク本体２００の上端部の周囲には、図２に示すように、複数個のクリップ部材ＣＬの一側がそれぞれ連結されることができる。そして、複数個のクリップ部材ＣＬの他側のそれぞれがメイン覆い部材３１０に連結されることによって、メイン覆い部材３１０がタンク本体２００の開放された上部を覆うようにタンク本体２００に連結されることができる。しかし、メイン覆い部材３１０がタンク本体２００の開放された上部を覆うようにタンク本体２００に連結される構成は、特に限定されず、周知のいかなる構成であっても可能である。
【００３４】
覆い部３００は、メイン覆い部材３１０の下部及び上部のうち少なくとも一つに空気層ＡＬ１、ＡＬ２が形成されるように構成されることができる。しかし、覆い部３００に形成される空気層ＡＬ１、ＡＬ２の数は、特に限定されず、結露を防止することができるように、外部及びタンク本体２００の内部を断熱することができる数であれば、いかなる数であっても可能である。
【００３５】
覆い部３００は、第１補助覆い部材３２０をさらに含むことができる。第１補助覆い部材３２０は、メイン覆い部材３１０の下部に連結されて、第１空気層ＡＬ１を形成することができる。第１補助覆い部材３２０は、嵌め込みを介してメイン覆い部材３１０の下部に連結されることができる。しかし、第１補助覆い部材３２０がメイン覆い部材３１０の下部に連結される構成は、特に限定されず、第１空気層ＡＬ１を形成することができるように、メイン覆い部材３１０の下部に連結される構成であれば、周知のいかなる構成であっても可能である。
【００３６】
メイン覆い部材３１０及び第１補助覆い部材３２０がなす第１空気層ＡＬ１には、図３及び図４に示すように、断熱部材ＩＬが備えられることができる。これにより、第１空気層ＡＬ１による断熱効果を向上させることができる。断熱部材ＩＬは、特に限定されず、メイン覆い部材３１０と第１補助覆い部材３２０がなす第１空気層ＡＬ１に備えられて、第１空気層ＡＬ１による断熱効果を向上させることができるものであれば、周知のいかなるものであっても可能である。
【００３７】
覆い部３００は、第２補助覆い部材３３０をさらに含むことができる。第２補助覆い部材３３０は、メイン覆い部材３１０の上部に連結されて、第２空気層ＡＬ２を形成することができる。第２補助覆い部材３３０は、嵌め込みを介してメイン覆い部材３１０の上部に連結されることができる。しかし、第２補助覆い部材３３０がメイン覆い部材３１０の上部に連結される構成は、特に限定されず、第２空気層ＡＬ２を形成することができるように、メイン覆い部材３１０の上部に連結される構成であれば、周知のいかなる構成であっても可能である。
【００３８】
メイン覆い部材３１０と第１、第２補助覆い部材３２０、３３０、及びメイン覆い部材３１０と第１補助覆い部材３２０がなす第１空気層ＡＬ１に備えられる断熱部材ＩＬには、図２〜図４に示すように、互いに連通し、タンク本体２００の内部と外部が連通するようにする連通孔ＨＴがそれぞれ形成されることができる。連通孔ＨＴを介して、タンク本体２００の内部に水が流入して保存されると、タンク本体２００の内部の空気が外部に排出されることができる。また、連通孔ＨＴを介して、タンク本体２００の内部の冷水が外部に排出されるとき、外部の空気がタンク本体２００の内部に流入することができる。これにより、タンク本体２００への水の流入、及びタンク本体２００からの冷水の排出が容易に行われることができる。一方、連通孔ＨＴは、空気層ＡＬ１、ＡＬ２とは連通しないように、メイン覆い部材３１０と第１、第２補助覆い部材３２０、３３０、及びメイン覆い部材３１０と第１補助覆い部材３２０がなす第１空気層ＡＬ１に備えられる断熱部材ＩＬに形成されることができる。
【００３９】
覆い部３００が連結される部分以外のタンク本体２００の部分には、図１〜図３に示すように、断熱部材ＩＬが取り囲むように備えられることができる。これにより、覆い部３００が連結される部分以外のタンク本体２００の部分にも結露が発生することを最小限に抑えるか、又は防止することができる。断熱部材ＩＬは、特に限定されず、覆い部３００が連結される部分以外のタンク本体２００の部分を覆うように備えられて、覆い部３００が連結される部分以外のタンク本体２００の部分に結露が発生しないようにするものであれば、周知のいかなるものであっても可能である。
【００４０】
冷却ユニット４００は、タンク本体２００に備えられて、タンク本体２００の内部に保存された水を冷却し、冷水になるようにすることができる。冷却ユニット４００は、図３に示すように、タンク本体２００の内部に備えられることができる。しかし、冷却ユニット４００は、タンク本体２００の外部に備えてもよい。
【００４１】
冷却ユニット４００は、図２及び図３に示すように、蒸発管４１０を含むことができる。蒸発管４１０は、タンク本体２００に形成された通過孔２３０を介してタンク本体２００の内部に備えられることができる。蒸発管４１０には、冷媒が流動することができる。また、タンク本体２００に保存された水から蒸発管４１０を流動する冷媒への熱伝達によってタンク本体２００に保存された水が冷却されて冷水になることができる。
【００４２】
冷却ユニット４００の構成は、特に限定されず、タンク本体２００の内部に備えられ、タンク本体２００の内部に保存された水を冷却して冷水になるようにすることができる構成であれば、熱電モジュール（不図示）を含む構成など周知のいかなる構成であっても可能である。
【００４３】
以上のように、本発明による冷水タンクを用いると、冷水タンクの覆い部に空気層が形成されて結露が発生することを防止することができる。また、冷水タンクが単独で備えられても、結露が発生しないようにすることができる。
【００４４】
上記のように説明された冷水タンクは、上記説明した実施形態の構成が限定されるように適用されることができるものではなく、上記実施形態は、様々な変形が行われるように、各実施形態の全部又は一部が選択的に組み合わされて構成されることもできる。
【図１】
2021530665.tif 000003
【図２】
2021530665.tif 000004
【図３】
2021530665.tif 000005
【図４】
2021530665.tif 000006
【図５】
2021530665.tif 000007
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
タンク本体と、
前記タンク本体の開放された上部を覆うように、前記タンク本体に連結され、前記タンク本体の外部に露出する覆い部と、
前記タンク本体に備えられ、前記タンク本体内部に保存された水を冷却し、冷水になるようにする冷却ユニットと、
を含み、
前記覆い部は、内部に空気層が形成されるように構成されて結露が発生することを最小限に抑えるか、又は防止し、
前記覆い部は、
前記タンク本体の開放された上部を覆うように、前記タンク本体に連結されるメイン覆い部材と、
前記メイン覆い部材の下部に連結されて、前記メイン覆い部材の下部面との間で第１空気層を形成する第１補助覆い部材と、
前記メイン覆い部材の上部に連結されて、前記メイン覆い部材の上部面との間で第２空気層を形成する第２補助覆い部材と、
を含み、
前記第１空気層には断熱部材が備えられる、冷水タンク。
【請求項２】
前記覆い部が連結される部分以外の前記タンク本体の部分は、断熱部材が取り囲むように備えられて結露が発生することを最小限に抑えるか、又は防止する、請求項１に記載の冷水タンク。
【請求項３】
前記冷却ユニットは、前記タンク本体の内部に備えられ、冷媒が流動する蒸発管を含む、請求項１に記載の冷水タンク。
【国際調査報告】
2021530665.tif 000008
2021530665.tif 000009
2021530665.tif 000010
2021530665.tif 000011